(57)【要約】【課題】型を用いて文書を作成するにあたって、過去に型を用いて作成された文書との作成又は配布に関する情報における重複度合いを提示するようにした情報処理装置を提供する。【解決手段】情報処理装置の受付手段は、型を用いて作成する第１の文書の作成又は配布に関する第１の情報を受け付け、算出手段は、型を用いて作成された第２の文書の作成又は配布に関する第２の情報を記憶する記憶手段から抽出した該第２の情報と前記第１の情報の重複度合いを算出し、提示手段は、前記算出手段によって算出された重複度合いを、前記第１の文書を作成するための型に関連付けて提示する。【選択図】図１
2015230670.tif 000002
【特許請求の範囲】
【請求項１】
型を用いて作成する第１の文書の作成又は配布に関する第１の情報を受け付ける受付手段と、
型を用いて作成された第２の文書の作成又は配布に関する第２の情報を記憶する記憶手段から抽出した該第２の情報と前記第１の情報の重複度合いを算出する算出手段と、
前記算出手段によって算出された重複度合いを、前記第１の文書を作成するための型に関連付けて提示する提示手段
を具備することを特徴とする情報処理装置。
【請求項２】
前記第１の情報として第１の文書を作成又は配布する第１の日時、前記第２の情報として第２の文書を作成又は配布した第２の日時とし、
前記算出手段は、前記第１の日時と前記第２の日時が近いほど重複度合いが高くなるように算出する
ことを特徴とする請求項１に記載の情報処理装置。
【請求項３】
前記第１の情報として第１の文書を配布する第１の場所、前記第２の情報として第２の文書を配布した第２の場所とし、
前記算出手段は、前記第１の場所と前記第２の場所の距離が近いほど重複度合いが高くなるように算出する
ことを特徴とする請求項１又は２に記載の情報処理装置。
【請求項４】
前記第１の情報として第１の文書による訴求先である第１の対象、前記第２の情報として第２の文書による訴求先である第２の対象とし、
前記算出手段は、前記第１の対象と前記第２の対象が類似するほど重複度合いが高くなるように算出する
ことを特徴とする請求項１から３のいずれか一項に記載の情報処理装置。
【請求項５】
前記第１の情報として第１の文書の配布量、前記第２の情報として第２の文書の配布量とし、
前記算出手段は、前記第１の文書の配布量又は前記第２の文書の配布量が多いほど重複度合いが高くなるように算出する
ことを特徴とする請求項１から４のいずれか一項に記載の情報処理装置。
【請求項６】
前記第１の情報として第１の文書の流通経路、前記第２の情報として第２の文書の流通経路とし、
前記算出手段は、前記第１の文書の流通経路と前記第２の文書の流通経路が類似するほど重複度合いが高くなるように算出する
ことを特徴とする請求項１から５のいずれか一項に記載の情報処理装置。
【請求項７】
前記算出手段は、さらに、作成された第１の文書と第２の文書の類似度を用いて、重複度合いを算出する
ことを特徴とする請求項１から６のいずれか一項に記載の情報処理装置。
【請求項８】
前記算出手段によって算出された重複度合いが予め定められた閾値よりも低い型又は配布方法を提示する第２の提示手段
をさらに具備することを特徴とする請求項１から６のいずれか一項に記載の情報処理装置。
【請求項９】
コンピュータを、
型を用いて作成する第１の文書の作成又は配布に関する第１の情報を受け付ける受付手段と、
型を用いて作成された第２の文書の作成又は配布に関する第２の情報を記憶する記憶手段から抽出した該第２の情報と前記第１の情報の重複度合いを算出する算出手段と、
前記算出手段によって算出された重複度合いを、前記第１の文書を作成するための型に関連付けて提示する提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、独自性の高いデザインを実現するのに好適なデザイン支援システムを提供することを課題とし、テンプレート登録ＤＢのなかからレイアウトテンプレートをユーザーが選択可能なテンプレート選択部と、選択テンプレートに基づいて文書をレイアウトするレイアウト部と、レイアウトテンプレートの選択を支援する選択支援部とを備え、選択支援部は、仮選択テンプレートの利用履歴情報を検索して該当の利用履歴情報に対応する競合ユーザーＩＤ及び業種情報を読み出し、自己ユーザーの業種情報を読み出し、競合ユーザーＩＤと自己ユーザーＩＤとが異なるか否かを判定するとともに、読み出したそれら業種情報が同一であるか否かを判定し、ユーザーＩＤが異なりかつ業種情報が同一であると判定したときは、警告メッセージを表示することが開示されている。
【先行技術文献】
【特許文献】
【０００３】
【特許文献１】特開２００５−０８５２３２号公報
【発明の概要】
【発明が解決しようとする課題】
【０００４】
本発明は、型を用いて文書を作成するにあたって、過去に型を用いて作成された文書との作成又は配布に関する情報における重複度合いを提示するようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、型を用いて作成する第１の文書の作成又は配布に関する第１の情報を受け付ける受付手段と、型を用いて作成された第２の文書の作成又は配布に関する第２の情報を記憶する記憶手段から抽出した該第２の情報と前記第１の情報の重複度合いを算出する算出手段と、前記算出手段によって算出された重複度合いを、前記第１の文書を作成するための型に関連付けて提示する提示手段を具備することを特徴とする情報処理装置である。
【０００６】
請求項２の発明は、前記第１の情報として第１の文書を作成又は配布する第１の日時、前記第２の情報として第２の文書を作成又は配布した第２の日時とし、前記算出手段は、前記第１の日時と前記第２の日時が近いほど重複度合いが高くなるように算出することを特徴とする請求項１に記載の情報処理装置である。
【０００７】
請求項３の発明は、前記第１の情報として第１の文書を配布する第１の場所、前記第２の情報として第２の文書を配布した第２の場所とし、前記算出手段は、前記第１の場所と前記第２の場所の距離が近いほど重複度合いが高くなるように算出することを特徴とする請求項１又は２に記載の情報処理装置である。
【０００８】
請求項４の発明は、前記第１の情報として第１の文書による訴求先である第１の対象、前記第２の情報として第２の文書による訴求先である第２の対象とし、前記算出手段は、前記第１の対象と前記第２の対象が類似するほど重複度合いが高くなるように算出することを特徴とする請求項１から３のいずれか一項に記載の情報処理装置である。
【０００９】
請求項５の発明は、前記第１の情報として第１の文書の配布量、前記第２の情報として第２の文書の配布量とし、前記算出手段は、前記第１の文書の配布量又は前記第２の文書の配布量が多いほど重複度合いが高くなるように算出することを特徴とする請求項１から４のいずれか一項に記載の情報処理装置である。
【００１０】
請求項６の発明は、前記第１の情報として第１の文書の流通経路、前記第２の情報として第２の文書の流通経路とし、前記算出手段は、前記第１の文書の流通経路と前記第２の文書の流通経路が類似するほど重複度合いが高くなるように算出することを特徴とする請求項１から５のいずれか一項に記載の情報処理装置である。
【００１１】
請求項７の発明は、前記算出手段は、さらに、作成された第１の文書と第２の文書の類似度を用いて、重複度合いを算出することを特徴とする請求項１から６のいずれか一項に記載の情報処理装置である。
【００１２】
請求項８の発明は、前記算出手段によって算出された重複度合いが予め定められた閾値よりも低い型又は配布方法を提示する第２の提示手段をさらに具備することを特徴とする請求項１から６のいずれか一項に記載の情報処理装置である。
【００１３】
請求項９の発明は、コンピュータを、型を用いて作成する第１の文書の作成又は配布に関する第１の情報を受け付ける受付手段と、型を用いて作成された第２の文書の作成又は配布に関する第２の情報を記憶する記憶手段から抽出した該第２の情報と前記第１の情報の重複度合いを算出する算出手段と、前記算出手段によって算出された重複度合いを、前記第１の文書を作成するための型に関連付けて提示する提示手段として機能させるための情報処理プログラムである。
【発明の効果】
【００１４】
請求項１の情報処理装置によれば、型を用いて文書を作成するにあたって、過去に型を用いて作成された文書との作成又は配布に関する情報における重複度合いを提示することができる。
【００１５】
請求項２の情報処理装置によれば、第１の日時と第２の日時が近いほど重複度合いが高くなるようにすることができる。
【００１６】
請求項３の情報処理装置によれば、第１の場所と第２の場所の距離が近いほど重複度合いが高くなるようにすることができる。
【００１７】
請求項４の情報処理装置によれば、第１の対象と第２の対象が類似するほど重複度合いが高くなるようにすることができる。
【００１８】
請求項５の情報処理装置によれば、第１の文書の配布量又は第２の文書の配布量が多いほど重複度合いが高くなるようにすることができる。
【００１９】
請求項６の情報処理装置によれば、第１の文書の流通経路と第２の文書の流通経路が類似するほど重複度合いが高くなるようにすることができる。
【００２０】
請求項７の情報処理装置によれば、さらに、作成された第１の文書と第２の文書の類似度を用いて、重複度合いを算出することができる。
【００２１】
請求項８の情報処理装置によれば、算出された重複度合いが予め定められた閾値よりも低い型又は配布方法を提示することができる。
【００２２】
請求項９の情報処理プログラムによれば、型を用いて文書を作成するにあたって、過去に型を用いて作成された文書との作成又は配布に関する情報における重複度合いを提示することができる。
【図面の簡単な説明】
【００２３】
【図１】本実施の形態の構成例についての概念的なモジュール構成図である。
【図２】本実施の形態を実現させた場合のシステム構成例を示す説明図である。
【図３】本実施の形態による処理例を示すフローチャートである。
【図４】本実施の形態による処理例を示すフローチャートである。
【図５】本実施の形態による処理例を示すフローチャートである。
【図６】本実施の形態による処理例を示すフローチャートである。
【図７】重複度合い判定テーブルのデータ構造例を示す説明図である。
【図８】本実施の形態による処理例（重複度合い表示画面の提示例）を示す説明図である。
【図９】本実施の形態による処理例（テンプレート表示画面の提示例）を示す説明図である。
【図１０】本実施の形態による処理例（テンプレート表示画面の提示例）を示す説明図である。
【図１１】本実施の形態を実現するコンピュータのハードウェア構成例を示すブロック図である。
【発明を実施するための形態】
【００２４】
まず、本実施の形態を説明する前に、その前提となる技術について説明する。なお、この説明は、本実施の形態の理解を容易にすることを目的とするものである。
型（以下、テンプレートともいう）を用いて文書を作成することが行われている。例えば、予め複数のテンプレートを通信可能なサーバー等に用意する。このサーバーは、複数のユーザー端末からアクセス可能である。ユーザー端末からこのサーバーにアクセスして、テンプレートを用いて文書の作成が行われる。
なお、テンプレートとは、文書の雛型のことである。編集可能である要素と編集不可の要素が予め指定されており、文書作成者は編集可能である要素のみを編集して文書を作成する。文書を雛型から作成することで、ブランドルールや文書作成ルール（例えば、ある欄は、縦書きのみが許可されているが、横書きは許されない等）を守りながら、カスタマイズした文書を作成することができる。
テンプレートを用いて文書を作成する場合、同じテンプレートを用いると同じような文書ができあがる場合がある。例えば、広告文書を作成する場合、他社の広告文書と同じようになることは避けるのが一般的である。
類似性の判定に利用者のＩＤ（ＩＤｅｎｔｉｆｉｃａｔｉｏｎ）、利用者が所属している業種、作成した文書の提供先のＩＤ、競合リストを用いた判断では、実際には受け手が類似だと感じる可能性が低いにもかかわらず、類似と判定してしまう場合がある。
また、類似性の判断結果が二値（Ｙｅｓ／Ｎｏ）での表現である場合、利用者は適切な判断ができず、選択肢を過度に狭めてしまうことがあり得る。
また、編集可能である要素の大きいデザインのテンプレートを扱う場合、編集後の文書では大きく異なるものになる可能性がある。反対に、元とするテンプレートが違っても、編集後には似たものになる可能性がある。したがって、元とするテンプレート内だけでの類似チェックでは、できあがる文書の類似判断には適さない。
なお、文書（以下、ドキュメントともいう）とは、主にテキストデータ、場合によっては図形、画像、動画、音声等の電子データ（ファイルとも言われる）、又はこれらの組み合わせであり、記憶、編集及び検索等の対象となり、システム又は利用者間で個別の単位として交換できるものをいい、これらに類似するものを含む。具体的には、本実施の形態によって作成された文書、Ｗｅｂページ等を含む。
【００２５】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２６】
本実施の形態である情報処理装置１００は、テンプレートを用いて文書を作成するものであって、図１の例に示すように、テンプレートＤＢ（ＤａｔａＢａｓｅ）１１０、ユーザーＤＢ１２０、利用履歴登録モジュール１２５、利用履歴ＤＢ１３０、作成・配布履歴登録モジュール１３５、作成・配布履歴ＤＢ１４０、ドキュメント受付モジュール１４５、ドキュメント解析モジュール１５０、テンプレート選択モジュール１５５、レイアウトモジュール１６０、選択支援モジュール１６５、重複可能性算出モジュール１７５を有している。
【００２７】
テンプレートＤＢ１１０は、ドキュメント解析モジュール１５０、テンプレート選択モジュール１５５、重複可能性算出モジュール１７５と接続されている。テンプレートＤＢ１１０は、テンプレートを記憶しており、ドキュメント解析モジュール１５０、テンプレート選択モジュール１５５、重複可能性算出モジュール１７５からアクセスされ、テンプレートを渡す。記憶されているテンプレートは、主に広告文書を作成するためのテンプレートであるが、これに限定される必要はない。
ユーザーＤＢ１２０は、重複可能性算出モジュール１７５と接続されている。ユーザーＤＢ１２０は、テンプレートＤＢ１１０内のテンプレートを用いて文書を作成する権限を有するユーザーに関する情報を記憶する。重複可能性算出モジュール１７５からアクセスされ、これらの情報を渡す。ユーザーに関する情報として、例えば、ユーザーＩＤ、氏名、住所、電話番号、所属会社名、年齢、性別等がある。
利用履歴登録モジュール１２５は、利用履歴ＤＢ１３０と接続されている。利用履歴登録モジュール１２５は、テンプレートの利用履歴（ログ）を利用履歴ＤＢ１３０に登録する。テンプレートの利用履歴として、例えば、テンプレートの選択履歴、編集履歴等がある。これらの履歴は、そのテンプレートに関する処理が行われる都度にログとして収集され、選択、編集が行われた日時（年、月、日、時、分、秒、秒以下、又はこれらの組み合わせであってもよい）等の情報も収集される。
利用履歴ＤＢ１３０は、利用履歴登録モジュール１２５、重複可能性算出モジュール１７５と接続されている。利用履歴ＤＢ１３０は、利用履歴登録モジュール１２５によって収集されたテンプレートの利用履歴を記憶し、重複可能性算出モジュール１７５からアクセスされ、これらの利用履歴を渡す。
【００２８】
作成・配布履歴登録モジュール１３５は、作成・配布履歴ＤＢ１４０と接続されている。作成・配布履歴登録モジュール１３５は、テンプレートを用いて作成された文書の作成又は配布に関する履歴を、作成・配布履歴ＤＢ１４０に登録する。履歴として、テンプレートを用いて作成された文書の作成又は配布に関するものであればよく、例えば、その文書を作成又は配布した日時としてもよいし、その文書を配布した場所としてもよいし、その文書による訴求先である対象としてもよいし、その文書の配布量としてもよいし、その文書の流通経路としてもよいし、これら２つ以上の組み合わせであってもよい。これらの情報は、文書について収集した情報が担当者の操作によって入力されたものであってもよいし、また、配布された文書が電子文書である場合は、その電子文書が配布される都度にログとして収集した情報であってもよい。ここで、「訴求先である対象」としては、一般的にターゲットといわれるものであり、商品、役務等を売り込む対象である。この文書は、広告、宣伝などで、買ってもらえるように消費者に働きかける役割を有する。
作成・配布履歴ＤＢ１４０は、作成・配布履歴登録モジュール１３５、重複可能性算出モジュール１７５と接続されている。作成・配布履歴ＤＢ１４０は、作成・配布履歴登録モジュール１３５によって登録された文書の作成又は配布に関する履歴を記憶し、重複可能性算出モジュール１７５からアクセスされ、これらの履歴を渡す。
【００２９】
テンプレート選択モジュール１５５は、テンプレートＤＢ１１０、レイアウトモジュール１６０、選択支援モジュール１６５と接続されている。テンプレート選択モジュール１５５は、選択支援モジュール１６５による提示に基づいて、ユーザーが選択操作を行い、その選択操作に応じて、テンプレートＤＢ１１０内のテンプレートを選択する。そして、選択したテンプレートをレイアウトモジュール１６０に渡す。
ドキュメント受付モジュール１４５は、ドキュメント解析モジュール１５０と接続されている。ドキュメント受付モジュール１４５は、既に配布された文書を受け付け、その文書をドキュメント解析モジュール１５０に渡す。この文書は、テンプレートＤＢ１１０内のテンプレートを用いて作成された文書である。
レイアウトモジュール１６０は、ドキュメント解析モジュール１５０、テンプレート選択モジュール１５５と接続されている。レイアウトモジュール１６０は、テンプレート選択モジュール１５５によって選択されたテンプレートを用いて、ユーザーによる操作に応じて文書を作成する。作成された文書をドキュメント解析モジュール１５０に渡す。
ドキュメント解析モジュール１５０は、テンプレートＤＢ１１０、ドキュメント受付モジュール１４５、レイアウトモジュール１６０、重複可能性算出モジュール１７５と接続されている。ドキュメント解析モジュール１５０は、レイアウトモジュール１６０、ドキュメント受付モジュール１４５から渡された文書を解析する。例えば、文書の要素、その要素の位置、その文書に記載されている文字数、文字列（形態素解析による単語等）、テイスト、カラーパレット等を抽出する。そして、抽出結果を重複可能性算出モジュール１７５に渡す。
【００３０】
重複可能性算出モジュール１７５は、テンプレートＤＢ１１０、ユーザーＤＢ１２０、利用履歴ＤＢ１３０、作成・配布履歴ＤＢ１４０、ドキュメント解析モジュール１５０、選択支援モジュール１６５と接続されている。重複可能性算出モジュール１７５は、テンプレートを用いて作成する第１の文書の作成又は配布に関する第１の情報を受け付ける。なお、ここでの第１の文書とは、これから作成される文書のことである。ここで「受け付ける」として、例えば、テンプレート毎に予め定められた情報を読み込むようにしてもよいし、テンプレートを用いてその第１の文書を作成しようとしているユーザーによるキーボード、マウス、タッチパネル等を用いた操作によって生成された情報を受け付けるようにしてもよい。
そして、重複可能性算出モジュール１７５は、テンプレートを用いて作成された第２の文書の作成又は配布に関する第２の情報を記憶する作成・配布履歴ＤＢ１４０から抽出したその第２の情報と第１の情報の重複度合いを算出する。なお、ここでの第２の文書とは、既に作成された文書のことである。したがって、重複可能性算出モジュール１７５は、これから作成しようとしている文書に関する情報と既に作成された文書に関する情報との重複度合いを算出する。
【００３１】
例えば、第１の情報として第１の文書を作成又は配布する第１の日時、第２の情報として第２の文書を作成又は配布した第２の日時としてもよい。そして、重複可能性算出モジュール１７５は、第１の日時と第２の日時が近いほど重複度合いが高くなるように算出するようにしてもよい。ここでの算出として、予め定められた算出式、予め定められた条件テーブル（日時の組み合わせとその組み合わせにおける重複度合いとを対応させたテーブル）等を用いてもよい。具体的には、第１の日時と第２の日時の間の日数の逆数としてもよい。また、重複度合いとして、単なる期間の長さだけでなく、同じ月であるか否か（例えば、前年同月は重複度合いが高い等）、季節が同じであるか否か（例えば、夏である７月、８月の場合は重複度合いを高くし、夏である７月と冬である２月は重複度合いを低くする等）によって算出するようにしてもよい。
【００３２】
また、例えば、第１の情報として第１の文書を配布する第１の場所、第２の情報として第２の文書を配布した第２の場所としてもよい。そして、重複可能性算出モジュール１７５は、第１の場所と第２の場所の距離が近いほど重複度合いが高くなるように算出するようにしてもよい。ここでの算出として、予め定められた算出式、予め定められた条件テーブル（場所の組み合わせとその組み合わせにおける重複度合いとを対応させたテーブル）等を用いてもよい。具体的には、第１の場所と第２の場所間の距離の逆数としてもよい。また、重複度合いとして、単なる距離の長さだけでなく、同じ鉄道路線であるか否か（例えば、同じ鉄道路線の隣り合う駅は重複度合いが高い等）によって算出するようにしてもよい。
【００３３】
また、例えば、第１の情報として第１の文書による訴求先である第１の対象、第２の情報として第２の文書による訴求先である第２の対象としてもよい。そして、重複可能性算出モジュール１７５は、第１の対象と第２の対象が類似するほど重複度合いが高くなるように算出するようにしてもよい。ここでの算出として、予め定められた算出式、予め定められた条件テーブル（対象の組み合わせとその組み合わせにおける重複度合いとを対応させたテーブル）等を用いてもよい。具体的には、第１の対象の年齢と第２の対象の年齢の差分の逆数としてもよい。また、重複度合いとして、単なる年齢差の長さだけでなく、同じ性別であるか否か、所属している会社の業種（例えば、同じ業種は重複度合いが高い等）によって算出するようにしてもよい。
【００３４】
また、例えば、第１の情報として第１の文書の配布量、第２の情報として第２の文書の配布量としてもよい。なお、配布量には、電子文書の場合には、提示数、クリック数、訪問数、ページビュー数、ダウンロード数等であってもよい。そして、重複可能性算出モジュール１７５は、第１の文書の配布量又は第２の文書の配布量が多いほど重複度合いが高くなるように算出するようにしてもよい。ここでの算出として、予め定められた算出式、予め定められた条件テーブル（配布量とその配布量における重複度合いとを対応させたテーブル）等を用いてもよい。具体的には、いずれかの配布量と比例して重複度合いが高くなる式であってもよい。また、配布量が予め定められた範囲内にある場合は、予め定められた重複度合いとするようにしてもよい。
【００３５】
また、例えば、第１の情報として第１の文書の流通経路（流通チャネルともいわれる）、第２の情報として第２の文書の流通経路としてもよい。そして、重複可能性算出モジュール１７５は、第１の文書の流通経路と第２の文書の流通経路が類似するほど重複度合いが高くなるように算出するようにしてもよい。ここでの算出として、予め定められた条件テーブル（流通経路の組み合わせとその組み合わせにおける重複度合いとを対応させたテーブル）等を用いてもよい。具体的には、流通経路の種別の組み合わせ（例えば、流通経路がチラシ（紙）とインターネットにおけるバナー広告では重複度合いが低い、流通経路がインターネットにおけるＳＮＳ（Ｓｏｃｉａｌ  Ｎｅｔｗｏｒｋｉｎｇ  Ｓｅｒｖｉｃｅ）の場合は重複度合いが高い等）によって算出するようにしてもよい。
【００３６】
また、例えば、重複可能性算出モジュール１７５は、さらに、作成された第１の文書と第２の文書の類似度を用いて、重複度合いを算出するようにしてもよい。類似度の算出は既存の技術を用いればよい。例えば、ドキュメント解析モジュール１５０による解析結果である文書の要素の種別（文字枠、図形枠等）、その要素の位置、文書に記載されている文字数、文字列（単語等）等を用いて類似度を算出してもよい。また、第１の文書の作成に用いる予定のテンプレートと第２の文書の作成に用いたテンプレートとの類似度としてもよい。
【００３７】
選択支援モジュール１６５は、テンプレート選択モジュール１５５、重複可能性算出モジュール１７５と接続されている。選択支援モジュール１６５は、重複可能性算出モジュール１７５によって算出された重複度合いを、第１の文書を作成するためのテンプレートに関連付けて提示する。ユーザーの判断を容易にするために、多値である重複度合いを、マップ上に示す。例えば、提示例として、（１）「配布時期の間隔：中、地理的距離：低、総合重複度：低」のように提示してもよいし、（２）「ｘｘ％の重複度の範囲内にｘ点利用されている」のように提示してもよいし、（３）上記をマップ上に示し、重複度の同心円で提示してもよい。具体例について、図８、図９、図１０を用いて後述する。なお、提示には、液晶ディスプレイ等の表示装置に表示すること、スピーカー等の出力装置に出力すること等、これらの組み合わせを含む。
また、選択支援モジュール１６５は、重複可能性算出モジュール１７５によって算出された重複度合いが予め定められた閾値よりも低いテンプレート又は配布方法を提示するようにしてもよい。
【００３８】
図２は、本実施の形態を実現させた場合のシステム構成例を示す説明図である。
情報処理装置１００、ユーザー端末２１０Ａ、ユーザー端末２１０Ｂ、ユーザー端末２１０Ｃ、ユーザー端末２１０Ｄは、通信回線２９０を介してそれぞれ接続されている。通信回線２９０は、無線、有線、これらの組み合わせであってもよく、例えば、通信インフラとしてのインターネット等であってもよい。各ユーザー端末２１０から情報処理装置１００が使用される。例えば、ブラウザを用いて情報処理装置１００内のテンプレートにアクセスし、文書が作成される。ユーザー端末２１０は、情報処理装置１００と通信可能であれば、パソコンであってもよいし、携帯電話（スマートフォンを含む）等の携帯端末であってもよい。
【００３９】
図３は、本実施の形態による処理例を示すフローチャートである。具体的には、選択したテンプレートに対する重複度を表示するフローチャートである、
ステップＳ３０２では、テンプレート選択モジュール１５５は、テンプレートの選択を行う。具体的には、ユーザーの操作に応じて、テンプレートの一覧の中から、利用を検討するテンプレートを選択する。
ステップＳ３０４では、重複可能性算出モジュール１７５は、配布予定情報の受付を行う。具体的には、ユーザーの操作に応じて、配布予定に関する情報（期間、地域、ターゲット、配布数、流通チャネル等）を受け付ける。なお、ステップＳ３０２、Ｓ３０４の順序は逆になってもよい。
ステップＳ３０６では、重複可能性算出モジュール１７５は、重複度合いである重複可能性の算出を行う。
ステップＳ３０６では、選択支援モジュール１６５は、算出結果の表示を行う。例えば、後述する図８のように表示する。なお、未だ文書は作成されていないので、デザインの項目はないグラフとなる。
【００４０】
図４は、本実施の形態による処理例を示すフローチャートである。具体的には、一覧のテンプレートに重複度を一括して表示するフローチャートである。
ステップＳ４０２では、重複可能性算出モジュール１７５は、配布予定情報の受付を行う。具体的には、ユーザーの操作に応じて、配布予定に関する情報（期間、地域、ターゲット、配布数、流通チャネル等）を受け付ける。
ステップＳ４０４では、重複可能性算出モジュール１７５は、重複度合いである重複可能性の算出を行う。
ステップＳ４０６では、選択支援モジュール１６５は、算出結果の表示を行う。例えば、後述する図９、図１０のように表示する。
【００４１】
図５は、本実施の形態による処理例を示すフローチャートである。具体的には、編集後のドキュメントに対する重複度を表示するフローチャートである。
ステップＳ５０２では、レイアウトモジュール１６０は、ドキュメントの編集を行う。具体的には、ユーザーの操作に応じて、テンプレートの一覧の中から、利用を検討するテンプレートを選択し、個別のドキュメントとして編集する。
ステップＳ５０４では、重複可能性算出モジュール１７５は、配布予定情報の受付を行う。具体的には、ユーザーの操作に応じて、配布予定に関する情報（期間、地域、ターゲット、配布数、流通チャネル等）を受け付ける。なお、ステップＳ５０２、Ｓ５０４の順序は逆になってもよい。
ステップＳ５０６では、ドキュメント解析モジュール１５０は、ドキュメントの解析を行う。
ステップＳ５０８では、重複可能性算出モジュール１７５は、重複度合いである重複可能性の算出を行う。
ステップＳ５１０では、選択支援モジュール１６５は、算出結果の表示を行う。例えば、後述する図８のように表示する。
【００４２】
図６は、本実施の形態による処理例を示すフローチャートである。具体的には、外部からドキュメントと配布データを読み込んで重複度を表示するフローチャートである。
ステップＳ６０２では、ドキュメント受付モジュール１４５は、ドキュメントを読み込む。具体的には、ユーザーの操作に応じて、ドキュメントを読み込ませる。
ステップＳ６０４では、作成・配布履歴登録モジュール１３５は、作成、配布履歴の登録を行う。具体的には、ユーザーの操作に応じて、そのドキュメントの作成履歴、配布履歴を読み込ませる。
ステップＳ６０６では、ドキュメント解析モジュール１５０は、ドキュメントの解析を行う。なお、ステップＳ６０６の処理前に、図５の例に示したフローチャートにおけるステップＳ５０２、Ｓ５０４の処理は済んでいるとする。
ステップＳ６０８では、重複可能性算出モジュール１７５は、重複度合いである重複可能性の算出を行う。
ステップＳ６１０では、選択支援モジュール１６５は、算出結果の表示を行う。例えば、後述する図８のように表示する。
【００４３】
図７は、重複度合い判定テーブル７００のデータ構造例を示す説明図である。重複可能性算出モジュール１７５の処理結果として、重複度合い判定テーブル７００を生成する。なお、ユーザーの配布予定欄７２０内の情報は重複可能性算出モジュール１７５がユーザーの操作によって受け付けた情報であり、過去の配布履歴欄７３０内の情報は作成・配布履歴ＤＢ１４０から抽出した情報であり、重複度欄７４０内の情報は重複可能性算出モジュール１７５による算出結果である。
重複度合い判定テーブル７００は、列方向に列１欄７１０、ユーザーの配布予定欄７２０、過去の配布履歴欄７３０、重複度欄７４０を有しており、行方向に配布期間欄７５０、配布地域欄７６０、配布ターゲット欄７７０、配布数欄７８０、業種欄７９０、配布チャネル欄７９５を有している。
ユーザーの配布予定欄７２０は、ユーザーの配布予定（第１の文書の配布予定）を記憶している。過去の配布履歴欄７３０は、過去の配布履歴（第２の文書の配布履歴）を記憶している。重複度欄７４０は、重複可能性算出モジュール１７５によって算出された第１の文書と第２の文書との重複度合いを記憶している。
配布期間欄７５０は、その文書の配布期間を記憶している。配布地域欄７６０は、その文書の配布地域を記憶している。配布ターゲット欄７７０は、その文書の配布ターゲットを記憶している。配布数欄７８０は、その文書の配布数を記憶している。業種欄７９０は、その文書が用いられる業種を記憶している。配布チャネル欄７９５は、その文書の配布チャネルを記憶している。
【００４４】
図８は、本実施の形態による処理例（重複度合い表示画面８００の提示例）を示す説明図である。重複度合い表示画面８００には、重複度合い表示グラフ８１０、総合重複度合い表示領域８２０を表示する。重複度合い表示グラフ８１０は、重複度合い判定テーブル７００の重複度欄７４０内の各情報をグラフ（レーダーチャート）で表したものである。なお、デザインの軸は、作成した第１の文書（その第１の文書の作成に用いたテンプレートであってもよい）と比較対象となる第２の文書とのデザインの類似度を示している。ドキュメント解析モジュール１５０による解析結果を用いている。
総合重複度合い表示領域８２０は、各項目の重複度合い（類似度を含む）の統計的値（例えば、平均値、最頻値、中央値等）を表示する。
【００４５】
図９は、本実施の形態による処理例（テンプレート表示画面９００の表示例）を示す説明図である。テンプレート表示画面９００には、テンプレート毎にテンプレート画像表示領域９１０、テンプレート名称表示領域９２０、重複度合い表示領域９３０を表示する。テンプレート画像表示領域９１０には、テンプレート画像のサムネイル画像（縮小画像）を表示する。テンプレート名称表示領域９２０には、そのテンプレートの名称を表示する。重複度合い表示領域９３０には、そのテンプレートと過去の文書との重複度合いを表示する。
【００４６】
図１０は、本実施の形態による処理例（テンプレート表示画面１０００の表示例）を示す説明図である。テンプレート表示画面１０００には、重複度合い毎に重複度合い：２０％未満のテンプレート表示領域１０１０、重複度合い：５０％未満のテンプレート表示領域１０２０、重複度合い：８０％未満のテンプレート表示領域１０３０を表示する。重複度合い：２０％未満のテンプレート表示領域１０１０には、重複度合い２０％未満のテンプレート群を表示する。重複度合い：５０％未満のテンプレート表示領域１０２０には、重複度合い２０％以上５０％未満のテンプレート群を表示する。重複度合い：８０％未満のテンプレート表示領域１０３０には、重複度合い５０％以上８０％未満のテンプレート群を表示する。
【００４７】
なお、本実施の形態としてのプログラムが実行されるコンピュータのハードウェア構成は、図１１に例示するように、一般的なコンピュータであり、具体的にはパーソナルコンピュータ、サーバーとなり得るコンピュータ等である。つまり、具体例として、処理部（演算部）としてＣＰＵ１１０１を用い、記憶装置としてＲＡＭ１１０２、ＲＯＭ１１０３、ＨＤ１１０４を用いている。ＨＤ１１０４として、例えばハードディスク、ＳＳＤ（Ｓｏｌｉｄ  Ｓｔａｔｅ  Ｄｒｉｖｅ）を用いてもよい。利用履歴登録モジュール１２５、作成・配布履歴登録モジュール１３５、ドキュメント受付モジュール１４５、ドキュメント解析モジュール１５０、テンプレート選択モジュール１５５、レイアウトモジュール１６０、選択支援モジュール１６５、重複可能性算出モジュール１７５等のプログラムを実行するＣＰＵ１１０１と、そのプログラムやデータを記憶するＲＡＭ１１０２と、本コンピュータを起動するためのプログラム等が格納されているＲＯＭ１１０３と、補助記憶装置（フラッシュメモリ等であってもよい）であるＨＤ１１０４と、キーボード、マウス、タッチパネル等に対する利用者の操作に基づいてデータを受け付ける受付装置１１０６と、ＣＲＴ、液晶ディスプレイ等の出力装置１１０５と、ネットワークインタフェースカード等の通信ネットワークと接続するための通信回線インタフェース１１０７、そして、それらをつないでデータのやりとりをするためのバス１１０８により構成されている。これらのコンピュータが複数台互いにネットワークによって接続されていてもよい。
【００４８】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１１に示すハードウェア構成は、１つの構成例を示すものであり、本実施の形態は、図１１に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１１に示すシステムが複数互いに通信回線によって接続されていて互いに協調動作するようにしてもよい。また、特に、パーソナルコンピュータの他、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００４９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化等、復元可能であればどのような態様で記録されていてもよい。
【符号の説明】
【００５０】
１００…情報処理装置
１１０…テンプレートＤＢ
１２０…ユーザーＤＢ
１２５…利用履歴登録モジュール
１３０…利用履歴ＤＢ
１３５…作成・配布履歴登録モジュール
１４０…作成・配布履歴ＤＢ
１４５…ドキュメント受付モジュール
１５０…ドキュメント解析モジュール
１５５…テンプレート選択モジュール
１６０…レイアウトモジュール
１６５…選択支援モジュール
１７５…重複可能性算出モジュール
２１０…ユーザー端末
２９０…通信回線
【図１】
2015230670.tif 000003
【図２】
2015230670.tif 000004
【図３】
2015230670.tif 000005
【図４】
2015230670.tif 000006
【図５】
2015230670.tif 000007
【図６】
2015230670.tif 000008
【図７】
2015230670.tif 000009
【図８】
2015230670.tif 000010
【図９】
2015230670.tif 000011
【図１０】
2015230670.tif 000012
【図１１】
2015230670.tif 000013